(57)【特許請求の範囲】
【請求項１】
接続すべき両管体の端部に対しそれぞれリング状に設定されたパッキングを介して覆装されるハウジングと該ハウジング内において前記パッキング間にセットされる第１の連結片および該第１連結片に対向して接続すべき両管体の内面に配設された第２の連結片を有し、それら第１、第２の連結片を前記管体を介して挿着された連結子によって連結したことを特徴とする管接手機構。
【請求項２】
接続すべき両管体の端部に対しそれぞれ設定されたパッキングが各管体の端部側に向けた内外のリップ部を対設し、それらリップ部の間に接続すべき管体の端部方向に開口した凹入部が形成されたことを特徴とする請求項１に記載の管接手機構。
【請求項３】
接続すべき両管体の端部に介装片を取付け、該介装片と各管体の介装片取付け部分にガイド孔を形成し、該ガイド孔に第１、第２の連結片に挿着された連結子を挿入連結したことを特徴とする請求項１、２の何れか１つに記載した管接手機構。
【発明の詳細な説明】
【０００１】
【発明の属する技術分野】
本発明は管継手機構に係り、接続すべき両管体をスライダブルに連結し、しかも上記のようにスライダブルな管体の継手機構からの抜け出しを的確に防止することのできる新しい機構を提供しようとするものである。
【０００２】
【従来の技術】
管体を接続するための継手機構としては従来から種々のものが知られているが、そうした継手機構の１つとして接続すべき両管をスライド可能とした接続手法が知られている。即ち接続すべき両管体がスライド可能であることから接続された管体が温度条件の如何や地盤変動時などにおいて伸縮変位することがあっても変位の集中などによる管体の移動変位を適宜に許容するメリットを有している。
【０００３】
【発明が解決しようとする課題】
上記したような従来の技術によるスライド可能な接続方式のものは上述したように変位の集中などを有効に許容することができるとしても、一方においてそうした伸縮などが繰返されることによって、変位の集中などに原因して接続された管体が抜け出し離脱することがあり、それによって重大な事故を発生する欠点を有している。
【０００４】
このため上記のようなスライド可能接続方式のものにおいて、その抜け出し防止することについてもそれなりの提案がなされているが、両管のスライド可能な接続関係を大幅に制限して切角のスライダブル性を殆んど失うようなことになり、またその抜け出し防止機構が相当に大型なものとならざるを得ず、必然的に特別な高額とならざるを得ないなどの不利を有している。
【０００５】
【課題を解決するための手段】
本発明は上記したような従来技術における不利を解消することについて検討を重ね、上記したような管継手におけるシール機構として接続された管体内流体圧を利用したシール材を対設すると共にそれらのシール材の間に両管の端部間外面と内面に位置した各連結材を用いることにより安定な両管間の連結を達成し、しかも連結された両管の抜け出しを的確に防止することに成功したものであって、以下の如くである。
【０００６】
（１）  接続すべき両管体の端部に対しそれぞれリング状に設定されたパッキングを介して覆装されるハウジングと該ハウジング内において前記パッキング間にセットされる第１の連結片および該第１連結片に対向して接続すべき両管体の内面に配設された第２の連結片を有し、それら第１、第２の連結片を前記管体を介して挿着された連結子によって連結したことを特徴とする管接手機構。
【０００７】
（２）  接続すべき両管体の端部に対しそれぞれ設定されたパッキングが各管体の端部側に向けた内外のリップ部を対設し、それらリップ部の間に接続すべき管体の端部方向に開口した凹入部が形成されたことを特徴とする前記（１）項に記載の管接手機構。
【０００８】
（３）  接続すべき両管体の端部に介装片を取付け、該介装片と各管体の介装片取付け部分にガイド孔を形成し、該ガイド孔に第１、第２の連結片に挿着された連結子を挿入連結したことを特徴とする前記（１）（２）項の何れか１つに記載した管接手機構。
【０００９】
【発明の実施の形態】
上記したような本発明によるものの具体的な実施態様を添附図面に示すものについて説明すると、接続すべき両管体１、１の端部に対し、それぞれリング状に設定されたパッキング２、２を介して覆装されるハウジング３と該ハウジング３内において図１に示し、また図２に明かにするように前記パッキング２、２間の管体１、１外面にそれぞれ例えば１８０°の間隔を採ってセットされる第１連結片４および該第１連結片４に対向して接続すべき前記両管体１、１の内面に配設された第２の連結片５を有し、それら第１、第２の連結片４、５を前記管体１、１の長孔９を介して挿着された連結子６、６によって連結するようにしたものである。
【００１０】
なお前記パッキング２は図２に示されるように各管体１の端部側に向けた内外のリップ部２１、２１を対設し、それらリップ部２１、２１の間に接続すべき管体１の端部方向に開口した凹入部２２が形成されたものであり、従って図２に示すような管体１の開口端１１からの管体１内流体圧がこの凹入部２２に作用することによって前記リップ部２１、２１が管体１の外面およびハウジング３の内面に圧接されて管体１、１内における流体圧に比例したシール作用が得られるように成っている。
【００１１】
また本発明においては上記のように管体１、１の内面に配設される第２の連結片５は各管体１、１の内面に介装片７、７を取付け、このような介装片７には切込み７１が幅方向中央部に長さ方向に沿って形成されていて、上記連結子６はこのような切込み７１において挿着され、従って連結子６の挿着緊締に拘わらず接続された両管体１、１がこの連結子６をガイドとして適宜にスライドし得る如く連結されたものである。
【００１２】
また連結子６が上記のような切込み７１に連通される部分においては上述したような第１、第２の連結片４、５間に介装筒体８がセットされていて連結子６の挿入緊締によっても両連結片４、５間に適当な間隙が確保され、上記したような管体１、１のスライド作用を確保するように構成されている。
【００１３】
なおハウジング３においては図９に拡大して示すようにその内面に係突部３１が形成されていてパッキング２の係止部２０に係止し、即ちパッキング２が上記したような管体流体の作用を受けて変形変動するようなことがあってもこのような係突部３１と係止部２０と係合によってパッキング２は適切なセット状態を保持するようにされている。
【００１４】
上記したような本発明によるものは、接続すべき両管体の端部に対しそれぞれリング状に設定されたパッキングを介して覆装されるハウジングと該ハウジング内において前記パッキング間にセットされる第１の連結片および該第１連結片に対向して接続すべき両管体の内面に配設された第２の連結片を有し、それら第１、第２の連結片を前記管体を介して挿着された連結子によって連結したことにより接続連結された両管体間において適切なスライド作用を維持しながら第１、第２の連結片により有効な抜け出し防止作用を形成確保することができ、しかもそうした機構が管体接続のためのパッキング設定域において有効に組みつけられたコンパクトなもので足りるなどの作用を有している。
【００１５】
また本発明のものは、接続すべき両管体の端部に対しそれぞれ設定されたパッキングが各管体の端部側に向けた内外のリップ部を対設し、それらリップ部の間に接続すべき管体の端部方向に開口した凹入部が形成されたことにより管体内流体圧をリップ部間に作用せしめて有効なシール状態を管内流体圧に比較せしめて確保し、しかもそうしたリップ部間において少くとも管体外に位置した第１の連結片を安定に設定せしめ、コンパクトな構成による前記目的達成に寄与する。
【００１６】
更に上記した本発明によるものは、接続すべき両管体の端部に介装片を取付け、該介装片と各管体の介装片取付け部分にガイド孔を形成し、該ガイド孔に第１、第２の連結片に挿着された連結子を挿入連結したことにより連結子による第１、第２の連結片緊締によっても接続連結された両管体間において適切なスライド関係を確保し地盤変動などに適切に即応することのできる接続状態を形成せしめる。
【００１７】
【発明の効果】
以上説明したような本発明によるときは地盤変動や温度条件の変動の如きに有効に即応して伸縮変位し、しかもそうした伸縮変位の集中によっても管体の抜け出しを的確に防止し、脱管による重大事故発生の如きを適切に防止することができるものであり、更にはそのための構成が比較的簡易コンパクトであるなどの効果を有していて工業的にその効果の大きい発明である。
【図面の簡単な説明】
【図１】本発明による管継手機構の図２におけるＩ・・・・Ｉ線にそった断面図である。
【図２】図１に示したものの部分的な切欠側面図で、この部分的切欠部に直交した方向における縦断面図をも併せて示した説明図である。
【図３】図１、２に示したものにおける第１、第２の連結片による取付連結部分の平面図である。
【図４】図３に示したものの断面図である。
【図５】図１、２に示したももの変形例についての端面図である。
【図６】図５に示したものの部分切欠側面図である。
【図７】本発明における第２連結板についての平面図と端面図を併せて示した説明図である。
【図８】本発明における第１連結板の構成を示した平面図と端面図である。
【図９】上記したような継手構成におけるハウジングのパッキング取付部分に関する拡大断面図である。
【図１０】連結子の側面図である。
【符号の説明】
１  管体
２  パッキング
３  ハウジング
４  第１連結片
５  第２連結片
６  連結子
７  介装片
８  介装筒体
８ａ  長円形介装筒体
９  係合孔
１１  管体の開口端
２０  パッキングの係止部
２１  パッキングのリップ部
２２  パッキングの凹入部
３１  ハウジングの係突部
４１  第１連結片の螺入孔
５１  第２連結片の挿入孔
６１  連結子（６）の先端部螺条
７１  介装片（７）の切込み
【図１】
0004043585.tif 000002
【図２】
0004043585.tif 000003
【図３】
0004043585.tif 000004
【図４】
0004043585.tif 000005
【図５】
0004043585.tif 000006
【図６】
0004043585.tif 000007
【図７】
0004043585.tif 000008
【図８】
0004043585.tif 000009
【図９】
0004043585.tif 000010
【図１０】
0004043585.tif 000011